(57)【特許請求の範囲】
【請求項１】
道路に埋設される暗渠管と道路に敷設される側溝とを接続する側溝暗渠管接続継手であって、
鉛直方向に沿った厚板状に形成され、頂面を除いて道路に埋設されるコンクリート製の継手本体を有し、該継手本体の一方の側面に、暗渠管が接続される暗渠管接続用開口が形成され、前記継手本体の他方の側面に、側溝が接続される側溝接続用開口が形成され、前記継手本体の内部に、前記側溝接続用開口と前記暗渠管接続用開口とを繋ぐ通路が形成されており、
前記側溝が接続される前記継手本体の他方の側面に、上部が前記継手本体の頂面に開放された金網用凹部が、前記側溝接続用開口を内包するように形成され、前記継手本体の他方の側面に前記側溝が接続されたとき、前記側溝の端面と前記金網用凹部との間にゴミ取用金網を前記継手本体の頂面の上方から差し入れるためのスリットが形成される、ことを特徴とする側溝暗渠管接続継手。
【請求項２】
前記暗渠管が接続される前記継手本体の一方の側面に、前記暗渠管同士を連結するため前記暗渠管の端面に形成された凸部又は凹部と係合する凹部又は凸部が形成されている、ことを特徴とする請求項１に記載の側溝暗渠管接続継手。
【請求項３】
前記暗渠管が接続される前記継手本体の一方の側面に、前記暗渠管同士を連結するため前記暗渠管に備えられたボルト又はネジ棒と螺合する雌ネジ部材が埋設されている、ことを特徴とする請求項２に記載の側溝暗渠管接続継手。
【請求項４】
前記側溝が接続される前記継手本体の他方の側面に、前記側溝の下面が載置される載置板が設けられていると共に、該載置板に前記側溝を上方から載せる際に前記側溝の左右の側部が案内される一対の縦壁が前記側溝接続用開口を挟むように左右に間隔を隔てて設けられている、ことを特徴とする請求項１から３の何れか１項に記載の側溝暗渠管接続継手。
【請求項５】
前記一対の縦壁は、下部から上部に向かって間隔が広くなるようにスロープ状に形成されている、ことを特徴とする請求項４に記載の側溝暗渠管接続継手。
【請求項６】
前記一対の縦壁は、更に、前記継手本体の他方の側面から離間するにつれて間隔が広くなるようにテーパー状に形成されている、ことを特徴とする請求項５に記載の側溝暗渠管接続継手。
【請求項７】
前記継手本体の頂面に、前記金網用凹部に繋げて、前記ゴミ取用金網を指で引き上げるための指入凹部が形成されている、ことを特徴とする請求項１から６の何れか１項に記載の側溝暗渠管接続継手。
【請求項８】
請求項２又は３に記載された側溝暗渠管接続継手の接続構造であって、
前記継手本体の一方の側面に形成された凹部又は凸部に、前記暗渠管同士を連結するため前記暗渠管の端面に形成された凸部又は凹部が係合されている、ことを特徴とする側溝暗渠管接続継手の接続構造。
【請求項９】
請求項４から６の何れか１項に記載された側溝暗渠管接続継手の接続構造であって、
前記継手本体の他方の側面に設けられた前記載置板に、前記側溝の下面が載置され、
前記継手本体の他方の側面に設けられた前記一対の縦壁の間に、前記側溝が挟まれるように配設されている、ことを特徴とする側溝暗渠管接続継手の接続構造。
【請求項１０】
請求項１から７の何れか１項に記載された側溝暗渠管接続継手の接続構造であって、
前記継手本体の他方の側面に、前記金網用凹部を覆うように前記側溝が接続され、
前記側溝の端面と前記金網用凹部との間に形成された前記スリットに、前記ゴミ取用金網が前記継手本体の頂面の上方から差し入れられている、ことを特徴とする側溝暗渠管接続継手の接続構造。
【発明の詳細な説明】
【技術分野】
【０００１】
本発明は、側溝と暗渠管とを接続する側溝暗渠管接続継手及びその接続構造に関する。
【背景技術】
【０００２】
図１に示すように、従来、道路に埋設される暗渠管１と道路に敷設される側溝２とを接続する場合、側溝２と暗渠管１とはグレーチング３付きの集水枡４を介して接続されていた（特許文献１、２参照）。すなわち、側溝２から暗渠管１に流れる雨水等は、一旦、集水枡４に溜まり、集水枡４を介して暗渠管１に流れ、逆に、暗渠管１から側溝２に流れる雨水等は、一旦、集水枡４に溜まり、集水枡４を介して側溝２に流れる。経年使用により集水枡４の底部に溜まった落ち葉、ゴミ、小石、泥等は、定期的にグレーチング３を外して除去される。
【先行技術文献】
【特許文献】
【０００３】
【特許文献１】特開平１０−２３７９３７号公報
【特許文献２】特開２００２−３６４０６３号公報
【発明の概要】
【発明が解決しようとする課題】
【０００４】
しかし、暗渠管１と側溝２とを金属製のグレーチング３付きの集水枡４を用いて接続した場合、グレーチング３を所謂鉄屑としてスクラップ会社に転売する目的で、グレーチング３の盗難が発生する。グレーチング３が盗難されると、道端に集水枡４の四角状の穴が空いてしまい、危険である。
【０００５】
また、集水枡４の底部に溜まった落ち葉、ゴミ、小石、泥等を定期的に除去するメンテナンスが煩雑であり、保全コストが必要となる。集水枡４の底部に溜まった水やゴミが腐って臭いの原因となる。臭いは、特に都市部では問題となる。
【０００６】
また、集水枡４は、一辺８０ｃｍ程度の四角筒であるので、これを道路に設置する際にはサイズ的に民地境界が問題となり易く、道路に地面に埋設するには多量の土砂を掘削しなければならず、施工が大変である。
【０００７】
以上の事情を考慮して創案された本発明の目的は、グレーチング盗難の心配がなく、水やゴミが溜まって臭いの原因になることがなく、サイズ的にコンパクトで道路への埋設が容易な側溝暗渠管接続継手及びその接続構造を提供することにある。
【課題を解決するための手段】
【０００８】
上記目的を達成すべく創案された本発明によれば、道路に埋設される暗渠管と道路に敷設される側溝とを接続する側溝暗渠管接続継手であって、鉛直方向に沿った厚板状に形成され、頂面を除いて道路に埋設されるコンクリート製の継手本体を有し、継手本体の一方の側面に、暗渠管が接続される暗渠管接続用開口が形成され、継手本体の他方の側面に、側溝が接続される側溝接続用開口が形成され、継手本体の内部に、側溝接続用開口と暗渠管接続用開口とを繋ぐ通路が形成されており、側溝が接続される継手本体の他方の側面に、上部が継手本体の頂面に開放された金網用凹部が、側溝接続用開口を内包するように形成され、継手本体の他方の側面に側溝が接続されたとき、側溝の端面と金網用凹部との間にゴミ取用金網を前記継手本体の頂面の上方から差し入れるためのスリットが形成される、ことを特徴とする側溝暗渠管接続継手が提供される（請求項１）。
【０００９】
本発明に係る側溝暗渠管接続継手においては、暗渠管が接続される継手本体の一方の側面に、暗渠管同士を連結するため暗渠管の端面に形成された凸部又は凹部と係合する凹部又は凸部が形成されていてもよい（請求項２）。
【００１０】
本発明に係る側溝暗渠管接続継手においては、暗渠管が接続される継手本体の一方の側面に、暗渠管同士を連結するため暗渠管に備えられたボルト又はネジ棒と螺合する雌ネジ部材が埋設されていてもよい（請求項３）。
【００１１】
本発明に係る側溝暗渠管接続継手においては、側溝が接続される継手本体の他方の側面に、側溝の下面が載置される載置板が設けられていると共に、載置板に側溝を上方から載せる際に側溝の左右の側部が案内される一対の縦壁が側溝接続用開口を挟むように左右に間隔を隔てて設けられていてもよい（請求項４）。
【００１２】
本発明に係る側溝暗渠管接続継手においては、一対の縦壁は、下部から上部に向かって間隔が広くなるようにスロープ状に形成されていてもよい（請求項５）。
【００１３】
本発明に係る側溝暗渠管接続継手においては、一対の縦壁は、更に、継手本体の他方の側面から離間するにつれて間隔が広くなるようにテーパー状に形成されていてもよい（請求項６）。
【００１４】
本発明に係る側溝暗渠管接続継手においては、継手本体の頂面に、金網用凹部に繋げて、ゴミ取用金網を指で引き上げるための指入凹部が形成されていてもよい（請求項７）。
【００１５】
また、本発明によれば、請求項２又は３に記載された側溝暗渠管接続継手の接続構造であって、継手本体の一方の側面に形成された凹部又は凸部に、暗渠管同士を連結するため暗渠管の端面に形成された凸部又は凹部が係合されている、ことを特徴とする側溝暗渠管接続継手の接続構造が提供される（請求項８）。
【００１６】
また、本発明によれば、請求項４から６の何れか１項に記載された側溝暗渠管接続継手の接続構造であって、継手本体の他方の側面に設けられた載置板に、側溝の下面が載置され、継手本体の他方の側面に設けられた一対の縦壁の間に、側溝が挟まれるように配設されている、ことを特徴とする側溝暗渠管接続継手の接続構造が提供される（請求項９）。
【００１７】
本発明に係る側溝暗渠管接続継手においては、請求項１から７の何れか１項に記載された側溝暗渠管接続継手の接続構造であって、継手本体の他方の側面に、金網用凹部を覆うように側溝が接続され、側溝の端面と金網用凹部との間に形成されたスリットに、ゴミ取用金網が継手本体の頂面の上方から差し入れられている、ことを特徴とする側溝暗渠管接続継手の接続構造が提供される（請求項１０）。
【発明の効果】
【００１８】
本発明に係る側溝暗渠管接続継手及びその接続構造によれば、次のような効果を発揮できる。
（１）集水枡を使用しないので、グレーチング盗難の心配がなく、水やゴミ等が集水枡に溜まって臭いの原因になることがない。また、集水枡に溜まったゴミ、落ち葉、小石等を除去するメンテナンスが不要であり、保全コストを低減できる。
（２）継手本体は、鉛直方向に沿った厚板状に形成され両側面に接続用の開口が形成されたものなので、一辺８０ｃｍ程度の四角筒から成る集水枡よりコンパクトとなり、道路に埋設する際の掘削土砂量が少なくなり、道路への設置作業の負荷を軽減できる。
（３）コンクリート製の継手本体のサイズが集水枡よりもコンパクトとなるため、コンクリートの使用量が集水枡より少量で済み、集水枡と比べて安価に製造できる。加えて、金属製のグレーチングも不要なので、その分、集水枡よりも安価となる。
【図面の簡単な説明】
【００１９】
【図１】従来例を示す集水枡を用いた側溝と暗渠管との接続構造を示す説明図である。
【図２】本発明の一実施形態を示す側溝暗渠管接続継手及びその接続構造の説明図であり、（ａ）は側溝に蓋板が取り付けられる前の様子を示す斜視図、（ｂ）は側溝に蓋板が取り付けられゴミ取用金網が装着される様子を示す斜視図、（ｃ）は（ｂ）の側断面図である。
【図３】暗渠管の説明図であり、（ａ）は暗渠管を前方から見た斜視図、（ｂ）は同じ暗渠管を後方から見た斜視図である。
【図４】本発明の一実施形態に係る側溝暗渠管接続継手の説明図であり、（ａ）は暗渠管が接続される一方の側面からの斜視図、（ｂ）は側溝が接続される他方の側面からの斜視図である。
【図５】本発明の別の実施形態に係る側溝暗渠管接続継手の説明図であり、（ａ）は暗渠管が接続される一方の側面からの斜視図、（ｂ）は側溝が接続される他方の側面からの斜視図である。
【図６】図５（ａ）のVI−VI線断面図である。
【図７】図５（ａ）のVII−VII線断面図である。
【図８】図５（ａ）のVIII−VIII線断面図である。
【図９】図５（ｂ）の矢印IXの方向から見た正面図である。
【発明を実施するための形態】
【００２０】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
（側溝暗渠管接続継手５及びその接続構造の概要）
図２（ａ）、図２（ｂ）、図２（ｃ）に、本発明の一実施形態に係る側溝暗渠管接続継手５ｘ、５ｙ及びその接続構造を示す。本実施形態に係る側溝暗渠管接続継手５ｘ、５ｙは、道路に埋設される暗渠管１と道路に敷設される側溝２とを接続するものであって、鉛直方向に沿った厚板状に形成され、頂面６を除いて道路に埋設されるコンクリート製の継手本体７を有する。
【００２２】
継手本体７の一方の側面７ａには、暗渠管１が接続される暗渠管接続用開口８が形成され、継手本体７の他方の側面７ｂには、側溝２が接続される側溝接続用開口９が形成され、継手本体７の内部には、側溝接続用開口９と暗渠管接続用開口８とを繋ぐ通路１０が形成されている。通路１０は、図４（ａ）、図４（ｂ）、図５（ａ）、図５（ｂ）に示すように、側溝暗渠管接続継手５ｘ、５ｙをコンクリート打設する際に用いる型枠の製造性および型抜性を考慮して、複数の三角の平面が連なった内面を有する。
【００２３】
（暗渠管１）
図３（ａ）に暗渠管１を前方から見た斜視図を、図３（ｂ）に同じ暗渠管１を後方から見た斜視図を示す。この暗渠管１は、コンクリート製の四角筒からなり、一方の端面１１に管口１２を囲繞するように凸部１３が形成され、他方の端面１４に管口１５を囲繞するように凹部１６が形成されている。暗渠管１同士を直列に接続する際、一方の暗渠管１の凸部１３と他方の暗渠管１の凹部１６とが係合される。
【００２４】
図３（ａ）、図３（ｂ）に示すように、暗渠管１の側面には、図示しないネジ棒及びナットが収容される収容部１７が凹設されている。収容部１７は、ナットを収容するため暗渠管１の側面に凹設された大収容部１７ａと、ネジ棒を収容するため大収容部１７ａから暗渠管１の端面に架けて凹設された小収容部１７ｂとから成る。大収容部１７ａは、その内部でナットを回転させることができるサイズであり、ネジ棒の直径に合わせられた小収容部１７ｂよりも大きい。
【００２５】
暗渠管１同士を直列に接続する際、双方の暗渠管１の端面に形成された凸部１３と凹部１６とを係合させると、双方の暗渠管１の小収容部１７ｂ同士が直線状に繋がるので、繋がった小収容部１７ｂにネジ棒を収容し、ネジ棒の両端を双方の暗渠管１の大収容部１７ａに位置させ、大収容部１７ａにおいてナットをネジ棒に締め込むことで、暗渠管１同士を締結する。暗渠管１の接続本数を適宜調節することで、接続された暗渠管１の全長を調節できる。なお、ネジ棒の代わりにボルトを用い、ボルトとナットで暗渠管１同士を締結してもよい。
【００２６】
（側溝暗渠管接続継手５ｘ、５ｙの凸部１８又は凹部１９）
図４（ａ）、図４（ｂ）に、図３（ｂ）に示す暗渠管１の凹部１６側の端面１４が接続される側溝暗渠管接続継手５ｙを示す。この側溝暗渠管接続継手５ｙは、継手本体７の一方の側面７ａに、暗渠管１同士を連結するため暗渠１管の端面１４に形成された凹部１６と係合する凸部１８が形成されていている。すなわち、暗渠管１同士を接続すべく暗渠管１の端面１４に形成された凹部１６を利用して接続剛性を高めている。
【００２７】
図５（ａ）、図５（ｂ）に、図３（ａ）に示す暗渠管１の凸部１３側の端面１１が接続される側溝暗渠管接続継手５ｘを示す。この側溝暗渠管接続継手５ｘは、暗渠管１が接続される継手本体７の一方の側面７ａに、暗渠管１同士を連結するため暗渠管１の端面１１に形成された凸部１３と係合する凹部１９が形成されていている。すなわち、暗渠管１同士を接続すべく暗渠管１の端面１１に形成された凸部１３を利用して接続剛性を高めている。
【００２８】
図５（ａ）、図５（ｂ）に示す側溝暗渠管接続継手５ｘと、図４（ａ）、図４（ｂ）に示す側溝暗渠管接続継手５ｙとは、継手本体７の一方の側面７ａに形成された凹部１９と凸部１８が相違するのみであり、その他は同一の構造（構成）である。よって、以降、図５（ａ）、図５（ｂ）に示す側溝暗渠管接続継手５ｘについてのみ詳細に説明し、図４（ａ）、図４（ｂ）に示す側溝暗渠管接続継手５ｙの説明は省略する。
【００２９】
（雌ネジ部材２０）
図５（ａ）のVI−VI線断面図である図６、図５（ａ）のVII−VII線断面図である図７に示すように、コンクリート製の継手本体７には、暗渠管１が接続される一方の側面７ａに、暗渠管１の小収容部１７ｂに備えられたネジ棒（又はボルト、以下ボルトは省略）と螺合する雌ネジ部材２０が埋設されている。
【００３０】
図６、図７に示すように、雌ネジ部材２０は、打設時にコンクリートがネジ孔に流れ込まないように袋ナット状のものが用いられ、図５（ａ）に示す継手本体７の凹部１９に図３（ａ）に示す暗渠管１の凸部１３が係合されたとき、暗渠管１の小収容部１７ｂが符合する位置に配設されている。暗渠管１に備えられたネジ棒（図示省略）を継手本体７の雌ネジ部材２０に締め込むことで、接続剛性が一層高まる。
【００３１】
（載置板２１、縦板２２）
図５（ｂ）、図２（ｂ）に示すように、継手本体７には、側溝２が接続される他方の側面７ｂに、側溝２の下面が載置される載置板２１が設けられていると共に、載置板２１に側溝２を上方から載せる際に側溝２の左右の側部が案内される一対の縦壁２２が側溝接続用開口９を挟むように左右に間隔を隔てて設けられている。これら載置板２１及び縦壁２２は、コンクリート製であり、継手本体７と共に一体的にコンクリート打設される。
【００３２】
図５（ｂ）、図５（ｂ）を矢印IX方向から見た図９に示すように、一対の縦壁２２は、下部から上部に向かって間隔が広くなるようにスロープ状に形成されており、側溝２を上方から載置板２１に着床させる際のセンタリング性を高めている。また、図５（ｂ）、図６に示すように、一対の縦壁２２は、更に、継手本体７の他方の側面７ｂから離間するにつれて間隔が広くなるようにテーパー状に形成されており、側溝２を長手方向から継手本体７に接続する際のセンタリング性を高めている。
【００３３】
（金網用凹部２３）
図５（ｂ）に示すように、継手本体７には、側溝２が接続される他方の側面７ｂに、上部が継手本体７の頂面６に開放された金網用凹部２３が、側溝接続用開口９を内包するように形成されている。図２（ａ）に示すように、継手本体７の他方の側面７ｂに側溝２が接続されたとき、図２（ｂ）、図２（ｃ）に示すように、側溝２の端面と金網用凹部２３との間にゴミ取用金網２４を継手本体７の頂面６の上方から差し入れるためのスリット２５が形成される。
【００３４】
図５（ｂ）を矢印IX方向から見た図９に示すように、継手本体７の他方の側面７ｂに側溝２が接続されたとき、側溝２の端面の肉厚部が継手本体７の金網用凹部２３を覆う状態となる。これにより、図２（ｂ）、図２（ｃ）に示すように、側溝２の端面と金網用凹部２３との間に、ゴミ取用金網２４を継手本体７の頂面６の上方から差し入れるためのスリット２５が形成される。
【００３５】
図５（ｂ）、図８に示すように、継手本体７の頂面６には、ゴミ取用金網２４を指で引き上げるための指入凹部２６が形成されている。指入凹部２６は、継手本体７の金網用凹部２３の上部中央に配設されており、そこに指を差し入れることで、図２（ｂ）に示すスリット２５に差し入れられたゴミ取用金網２４の中央を保持してバランスよく引き上げることができる。
【００３６】
（作用・効果）
本実施形態に係る側溝暗渠管接続継手５ｘ、５ｙ及びその接続構造によれば、次のような効果を発揮できる。
【００３７】
図１に示す集水枡４を利用して側溝２と暗渠管１とを接続する従来例とは異なり、図２（ａ）、図２（ｂ）、図２（ｃ）に示すように、集水枡４を使用することなく側溝２と暗渠管１とを継手本体７によって接続するので、集水枡４のグレーチング３が盗難される心配がなく、集水枡４に水やゴミ等が溜まって臭いの原因になることがない。集水枡４に溜まったゴミ、落ち葉、小石等を除去するメンテナンスが不要となり、保全コストを低減できる。
【００３８】
図２（ｃ）に示すように、継手本体７は、鉛直方向に沿った厚板状に形成され両側面に接続用の開口８、９が形成されたものなので、一辺８０ｃｍ程度の四角筒から成る図１に示す集水枡４よりコンパクトとなり、道路に埋設する際の掘削土砂量が少なくなり、道路への設置作業の負荷を軽減できる。コンクリート製の継手本体７のサイズが集水枡４よりもコンパクトとなるため、コンクリートの使用量が集水枡より少量で済み、集水枡４と比べて安価に製造できる。加えて、金属製のグレーチング３も不要なので、その分、集水枡４よりも安価となる。
【００３９】
図２（ｃ）に示すように、暗渠管１の端面の凸部１３が側溝暗渠管接続継手５ｘの一方の側面７ａに形成された凹部１９に係合され、暗渠管１の端面の凹部１６が側溝暗渠管接続継手５ｙの一方の側面７ａに形成された凸部１８に係合されることにより、接続剛性が高まり、暗渠管１の上方の道路を自動車が通過して暗渠管１に荷重変動が加わることによって生じる、暗渠管１の暗渠管接続用開口８に対するズレを抑えられる。すなわち、暗渠管１の端面を継手５ｘ、５ｙの側面７ａに平面的に突き当てるのではなく、暗渠管１同士を接続するための凸部１３、凹部１６を利用して、暗渠管１の凸部１３、凹部１６を、継手５ｘ、５ｙの凹部１９、凸部１８に係合することで、振動などによる暗渠管１の暗渠管接続用開口８に対するズレを抑えられる。
【００４０】
図３（ａ）に示す暗渠管１を図５（ａ）に示す側溝暗渠管接続継手５ｘに接続する際、暗渠管１の収容部１７に備えられたネジ棒（図示省略）が継手５ｘの一方の側面７ａに埋設された雌ネジ部材２０に螺合され、図３（ｂ）に示す暗渠管１を図４（ａ）に示す側溝暗渠管接続継手５ｙに接続する際、暗渠管１の収容部１７に備えられたネジ棒（図示省略）が継手５ｙの一方の側面７ａに埋設された雌ネジ部材２０に螺合される。このように、暗渠管１同士を連結するためのネジ棒を利用して暗渠管１と継手５ｘ、５ｙとを接続しているので、接続剛性が更に高まり、暗渠管１の上方の道路を自動車が通過して暗渠管１に荷重変動が加わることによって生じる、暗渠管１の暗渠管接続用開口１９に対するズレを一層抑えられる。
【００４１】
図２（ｃ）に示すように、側溝暗渠管接続継手５ｘの他方の側面７ｂに、側溝２の下面が載置される載置板２１を設け、側溝暗渠管接続継手５ｙの他方の側面７ｂに、側溝２の下面が載置される載置板２１を設けたので、経年経過時の地盤沈下による側溝２の側溝接続用開口９に対する上下ズレを防止できる。また、図２（ｂ）、図４（ｂ）、図５（ｂ）に示すように、継手５ｘ、５ｙの他方の側面７ｂに、載置板２１に側溝２を上方から載せる際に側溝２の左右の側部が案内される一対の縦壁２２を設けたので、経年経過時の側溝２の側溝接続用開口９に対する左右ズレを防止できる。
【００４２】
図４（ｂ）、図５（ｂ）、図９に示すように、一対の縦壁２２が下部から上部に向かって間隔が広くなるようにスロープ状に形成されているので、側溝２を上方から載置板２１に載せる際、センタリング性が高まり、側溝２を側溝接続用開口９に容易に位置合わせでき、施工の作業性が向上する。また、一対の縦壁２２が下部から上部に向かって間隔が広くなるようにスロープ状に形成されているので、製造時に型枠に生コンクリートを流し込んで打設した後、型枠から抜き易い。
【００４３】
図４（ｂ）、図５（ｂ）、図６に示すように、一対の縦壁２２が継手本体７の他方の側面７ｂから離間するにつれて間隔が広くなるようにテーパー状に形成されているので、側溝２を継手本体７の他方の側面７ｂに近づける際、センタリング性が高まり、側溝２を側溝接続用開口９に容易に位置合わせでき、施工の作業性が向上する。また、一対の縦壁２２が継手本体７の他方の側面７ｂから離間するにつれて間隔が広くなるようにテーパー状に形成されているので、製造時に型枠に生コンクリートを流し込んで打設した後、型枠から抜き易い。
【００４４】
図２（ｂ）、図２（ｃ）に示すように、継手本体７と側溝２との間に形成されたスリット２５にゴミ取用金網２４を上方から差し入れることで、側溝２を雨水と共に流れる落ち葉、ゴミ、小石等をゴミ取用金網２４によって捕集でき、落ち葉、ゴミ、小石等が暗渠管に流れ込む事態を回避できる。
【００４５】
図９に示すように、厚板状の継手本体７の一方の側面７ａに形成された金網用凹部２３と、その側面７ａに接続される側溝２の端面の肉厚部とを協働させてスリット２５を形成しているので、例えば、図５（ｂ）に示す継手本体７の頂面６の板厚方向の中央にゴミ取用金網２４用のスリットを鉛直方向にコンクリート打設により形成する場合に必要となる中子が不要となり、継手本体７を低コストに製造できる。
【００４６】
なお、ゴミ取用金網２４に捕集された落ち葉、ゴミ、小石等は、側溝暗渠管接続継手５ｘ、５ｙに隣接する側溝２の蓋板２ａを取り外し、上方から除去できる。また、指入凹部２６に指を差し入れてゴミ取用金網２４を引き上げることで、側溝２から暗渠管１の内部を点検でき、内部に侵入した落ち葉、ゴミ、小石等を掻き出すこともできる。
【産業上の利用可能性】
【００４７】
本発明は、側溝と暗渠管とを接続する側溝暗渠管接続継手及びその接続構造に利用できる。
【符号の説明】
【００４８】
１  暗渠管
２  側溝
５ｘ  側溝暗渠管接続継手
５ｙ  側溝暗渠管接続継手
６  頂面
７  継手本体
７ａ  一方の側面
７ｂ  他方の側面
８  暗渠管接続用開口
９  側溝接続用開口
１０  通路
１１  暗渠管の端面
１３  暗渠管の凸部
１４  暗渠管の端面
１６  暗渠管の凹部
１８  側溝暗渠管接続継手の凸部
１９  側溝暗渠管接続継手の凹部
２０  雌ネジ部材
２１  載置板
２２  一対の縦壁
２３  金網用凹部
２５  スリット
【要約】
【課題】グレーチングの盗難がなく、水やゴミが溜まって臭いの原因になることがなく、サイズ的にコンパクトで道路への埋設が容易な側溝暗渠管接続継手及びその接続構造を提供する。
【解決手段】道路に埋設される暗渠管１と道路に敷設される側溝２とを接続する側溝暗渠管接続継手５ｘ、５ｙであって、鉛直方向に沿った厚板状に形成され、頂面６を除いて道路に埋設されるコンクリート製の継手本体７を有し、継手本体７の一方の側面７ａに、暗渠管１が接続される暗渠管接続用開口８が形成され、継手本体７の他方の側面７ｂに、側溝２が接続される側溝接続用開口９が形成され、継手本体７の内部に、側溝接続用開口９と暗渠管接続用開口８とを繋ぐ通路１０が形成されている。
【選択図】図２【図１】
0006970473.tif 000002
【図２】
0006970473.tif 000003
【図３】
0006970473.tif 000004
【図４】
0006970473.tif 000005
【図５】
0006970473.tif 000006
【図６】
0006970473.tif 000007
【図７】
0006970473.tif 000008
【図８】
0006970473.tif 000009
【図９】
0006970473.tif 000010